(57)【要約】    【課題】中継基板や遊技盤に対する不正行為を効率的に防止することが可能な遊技機用の不正監視システムを提供する。    【解決手段】パチンコ機１は、サブ統合基板３７の保護カバーである裏カバー６０に、ＩＣタグ２６が設置されているとともに、そのＩＣタグ２６とＲＦ通信可能なアンテナ３２が、遊技盤３２の裏面に、閉じた裏カバー６０に設置されたＩＣタグ２６と対峙するように設置されている。そして、Ｒ／Ｗユニット２１を用いて、パチンコ機１，１・・に搭載されたＩＣタグ２６とアンテナ３２との間でＲＦ通信を周期的に行って、その通信状態の変化を検知することにより、電気回路４０および払出基板３９を覆う裏カバー６０の不正開放の有無を監視するようになっている。【選択図】  図１
2005348963.tif 000002
【特許請求の範囲】
【請求項１】
遊技に関連した主たる動作内容を制御するための主制御基板と、遊技媒体の払い出しに関連した動作内容を制御するための副制御基板とが設けられているとともに、それらの制御基板が電気回路を介して接続された遊技機であって、
保護カバーが開閉自在に設置されており、その保護カバーによって、前記電気回路および副制御基板が覆われているとともに、
前記保護カバーに、ＩＣタグおよびアンテナの内の片方が設置されており、かつ、他方が、閉じた前記保護カバーに設置されたＩＣタグあるいはアンテナとＲＦ通信可能に対峙するように設置されており、
監視制御装置からの指令に基づいて、前記ＩＣタグと前記アンテナとの間でＲＦ通信を周期的に行って、その通信状態の変化を検知することにより、前記保護カバーの不正開放の有無を監視することを特徴とする遊技機。
【請求項２】
主制御基板が電気回路および副制御基板とともに保護カバーで覆われていることを特徴とする請求項１に記載の遊技機。
【請求項３】
各種の遊技部材を設置した遊技盤に、閉じた前記保護カバーに設置されたＩＣタグあるいはアンテナとＲＦ通信可能に対峙するように、アンテナあるいはＩＣタグが設置されていることを特徴とする請求項１、または請求項２に記載の遊技機。
【請求項４】
保護カバーの外周から所定の距離を隔てた内側に監視部材設置部が設けられており、その監視部材設置部にＩＣタグが設置されていることを特徴とする請求項１〜３のいずれかに記載の遊技機。
【請求項５】
アンテナを介してＩＣタグとの間でＲＦ通信を行うための監視制御装置を用い、請求項１〜４のいずれかに記載された遊技機に搭載されたＩＣタグとアンテナとの間でＲＦ通信を周期的に行って、その通信状態の変化を検知することにより、前記保護カバーの不正開放の有無を監視することを特徴とする遊技機用監視システム。
【発明の詳細な説明】
【技術分野】
【０００１】
本発明は、パチンコ機等の遊技機に対する不正行為の有無を監視するための遊技機用監視システムに関するものである。
【背景技術】
【０００２】
遊技機の一種であるパチンコ機においては、作動内容を制御するＲＯＭ等の制御素子を偽造されたものにすり替える不正行為が行われることがある。このため、かかる不正行為を防止するために、制御素子を収納した収納ボックスに封印シールを貼着したり、閉じる方向にのみ回転する封印ビスを用いて収納ボックスをかしめ止めして収納ボックスの開放を困難にする方法等が考案されている。
【０００３】
ところが、上記した封印シールを貼着する方法は、制御基板ボックスを開放して偽造されたＲＯＭへの交換が行われた後に、精巧な偽造封印シールを貼られてしまうと不正行為が行われたか否かを判断することができない。また、封印ビスによって収納ボックスをかしめ止めする方法は、封印ビスを特殊な工具で強制的に開放方向に回転させることにより収納ボックスが開放されてしまうおそれがある。
【０００４】
それゆえ、出願人は、主制御基板を収納した分割式の収納ボックスにＩＣタグとアンテナとを別々に設置するとともに、遊技機の裏面に監視制御装置を設置し、その監視制御装置を利用してＩＣタグとアンテナとの間で無線通信を短時間の周期で繰り返し実行させることによって、収納ボックスの不正開放の有無を監視する自動監視システムについて提案した。（特許文献１）。
【０００５】
【特許文献１】特開２００４−８１４６４号公報
【発明の開示】
【発明が解決しようとする課題】
【０００６】
上記したＩＣタグとアンテナにより不正の有無を監視する自動監視システムによれば、主制御基板に対する不正行為を効率的に監視することができる。しかしながら、近年では、遊技内容の複雑高度化に伴い、遊技球払出装置等の部材の作動を制御するための副次的な制御基板が、主制御基板とは別に設けられることが多くなっている。そして、それらの副制御基板と主制御基板とを接続した電気配線や、副制御基板と主制御基板との間に設けられる中継基板に、導線を接続させ、その導線を介して、副制御基板を意のままに制御する、という不正行為（いわゆる「ぶら下がり行為」）が増加してきており、特許文献１に開示された技術は、そのような電気配線や中継基板等の電気回路への不正行為に対して、必ずしも効果的なものであるとはいえない。一方、遊技機の遊技盤が別の遊技盤と取り替えられるという不正行為も増加してきており、特許文献１に開示された技術は、そのような遊技盤の不正な取り替え行為に対しても、効果的なものであるとはいえない。
【０００７】
本発明の目的は、上記従来の不正防止手段が有する問題点を解消し、中継基板や遊技盤に対する不正行為を効率的に防止することが可能な遊技機用の不正監視システムを提供することにある。
【課題を解決するための手段】
【０００８】
かかる本発明の内、請求項１に記載された発明の構成は、遊技に関連した主たる動作内容を制御するための主制御基板と、遊技媒体の払い出しに関連した動作内容を制御するための副制御基板とが設けられているとともに、それらの制御基板が電気回路を介して接続された遊技機であって、裏面に保護カバーが開閉自在に設置されており、その保護カバーによって、前記電気回路および副制御基板が覆われているとともに、前記保護カバーに、ＩＣタグおよびアンテナの内の片方が設置されており、かつ、他方が、閉じた前記保護カバーに設置されたＩＣタグあるいはアンテナとＲＦ通信可能に対峙するように設置されており、監視制御装置からの指令に基づいて、前記ＩＣタグと前記アンテナとの間でＲＦ通信を周期的に行って、その通信状態の変化を検知することにより、前記保護カバーの不正開放の有無を監視することにある。
【０００９】
請求項２に記載された発明の構成は、請求項１に記載された発明において、主制御基板が電気回路および副制御基板とともに保護カバーで覆われていることにある。
【００１０】
請求項３に記載された発明の構成は、請求項１、または請求項２に記載された発明において、各種の遊技部材を設置した遊技盤に、閉じた前記保護カバーに設置されたＩＣタグあるいはアンテナとＲＦ通信可能に対峙するように、アンテナあるいはＩＣタグが設置されていることにある。
【００１１】
請求項４に記載された発明の構成は、請求項１〜３のいずれかに記載された発明において、保護カバーの外周から所定の距離を隔てた内側に監視部材設置部が設けられており、その監視部材設置部にＩＣタグが設置されていることにある。
【００１２】
請求項５に記載された発明の構成は、アンテナを介してＩＣタグとの間でＲＦ通信を行うための監視制御装置を用い、請求項１〜４のいずれかに記載された遊技機に搭載されたＩＣタグとアンテナとの間でＲＦ通信を周期的に行って、その通信状態の変化を検知することにより、前記保護カバーの不正開放の有無を監視することを特徴とする遊技機用監視システム。
【発明の効果】
【００１３】
請求項１に記載された遊技機によれば、監視制御装置を利用してＩＣタグとアンテナとの間でＲＦ通信を周期的に行い、その通信状態の変化を検知することにより、保護カバーの不正開放の有無を監視することによって、副制御基板およびその副制御基板と主制御基板とを接続した電気回路に対する不正行為（いわゆる「ぶら下がり行為」）を非常に効率的に監視することが可能となる。
【００１４】
請求項２に記載された遊技機によれば、主制御装置を電気回路および副制御基板とともに非常に低コストで効率的に監視することが可能となる。
【００１５】
請求項３に記載された遊技機によれば、遊技盤を不正に取り外して他の遊技盤と取り替える不正行為を非常に効率的に監視することが可能となる。
【００１６】
請求項４に記載された遊技機によれば、ＩＣタグが保護カバーの外周から所定の距離を隔てた内側に保持されるので、ＩＣタグに対して不正行為が行われる事態（すなわち、ＩＣタグが不正行為者にとって都合の良い別のものとすり替えられてしまう等の事態）を防止することが可能となる。
【００１７】
請求項５に記載された遊技機用監視システムによれば、電気回路、副制御基板や遊技盤に対する不正行為を非常に効率的に監視することが可能となる。
【発明を実施するための最良の形態】
【００１８】
以下、本発明に係る遊技機の一実施形態であるパチンコ機、およびそのパチンコ機を用いた不正監視システムについて、以下の目次にしたがって詳細に説明する。
１．パチンコ機の構成
２．パチンコ機を用いた不正監視システムの構成
３．パチンコ機および不正監視システムの動作内容
４．パチンコ機および不正監視システムの効果
５．遊技機および不正監視システムの変更例
【００１９】
１．パチンコ機の構成
図１〜図３は、本発明のパチンコ機を示したものである。パチンコ機１は、周囲が機枠２２によって覆われており、その機枠２２には、遊技盤２３を嵌め込み設置したミドル枠２４が、左端縁を中心として開閉自在に取り付けられている。ミドル枠２４に嵌め込まれた遊技盤２３の略中央には、液晶画面に各種の動画を表示可能な図柄表示装置５２が設置されており、その図柄表示装置５２の下側には、開閉式の入賞装置である普通電動役物５１が設置されている。また、その普通電動役物５１の下側には、幅広な長方形状の大入賞口５０が、下端縁を中心として開閉自在に設置されている。さらに、遊技盤に２３は、サイドランプ５３，５３や電飾ランプ５４，５４等の各種の発光部材が設置されている。加えて、遊技盤２３の前方には、ガラス扉３１が片開き自在に取り付けられている。
【００２０】
また、ガラス扉３１の下側には、遊技球を発射装置（図示せず）へ供給するための供給皿５６が前方へ突出するように設けられており、その供給皿５６の下側には、供給皿５６から溢れた遊技球を貯留させるための貯留皿５７が、供給皿５６と同様に前方へ突出するように設けられている。また、供給皿５６と貯留皿５７との間には、効果音を発生させるためのスピーカ５８が内蔵されており、貯留皿５７の右側には、遊技球を遊技盤２３上に発射するための発射ハンドル５９が前方へ突出するように設けられている。
【００２１】
一方、ミドル枠２４の裏側には、各種の装置や部材を設置するための合成樹脂製の機構板６１が固着されており、その機構板６１の裏面の中央よりやや上方には、図柄制御基板３４を内蔵した図柄制御ユニット３３が設置されている。また、図柄制御ユニット３３の下側には、基板集合板４２が設置されており、その基板集合板４２上には、サブ統合基板３７、払出基板３９、図柄制御基板３４、音基板３５、発光基板３６が搭載されている。さらに、その基板集合板４２の下側には、パチンコ機１の主たる動作（特定の入賞装置を周期的に開放する「大当たり状態」を生起させるか否かの決定等）を実行する主制御基板２５が、分割式の収納ケース２６に覆われた状態で設置されている。さらに、収納ケース２６には、スピーカ５８から発生させる効果音の態様を制御するための音基板３５と、サイドランプ２３，２３や電飾ランプ５４，５４等の発光部材の発光態様を制御するための発光基板３６とが内蔵されている。なお、払出基板３９、図柄制御基板３４、音基板３５、発光基板３６は、副制御基板として機能するものであり、サブ統合基板３７は、主制御基板２５と副制御基板とを結ぶ中継基板として機能するものである。
【００２２】
また、機構板６１の左端縁際の上方には、裏カバー６０が左端縁を軸として開閉自在に設置されており、図柄表示ユニット３３、基板集合板４２、および、基板集合板４２上に搭載された副制御基板である払出基板３９と主制御基板２５とを接続した電気回路４０が、その裏カバー６０によって覆われた状態になっている（すなわち、裏カバー６０は、図柄表示ユニット３３、サブ統合基板３７、払出基板３９および電気回路４０の保護カバーとして機能するものである）。裏カバー６０は、不透明な合成樹脂によって、片方を開口した横長な直方体の箱状（すなわち、横長な長方形状の平板部６３の周囲を直角に折り返した形状）に一体的に形成されている。また、開放側の側板６４の先端際には、帯状の当接板６５が側板６４と直交するように延設されている。そして、その当接板６５の内側には、直方体状の台座６６が、側板６４より内側に突出するように設けられており、その台座６６の表面には、扁平な長方形状のＩＣタグ２６が接着剤等によって強固に接着されている。
【００２３】
ＩＣタグ２６は、他のＩＣタグと識別するためのＩＤコード等の識別情報が記憶手段（ＥＥＰＲＯＭ等）の上書消去禁止区域に記憶されている。そして、所定のアンテナとの間で、所定の周波数（ここでは、１３．５６ＭＨｚ）を利用してＲＦ送受信を行うことが可能であり、呼出波を受信すると、識別情報を含む反射波を、所定の通信範囲（約３ｍｍ）内に出力（返信）する。また、外部からの電源供給を受けることなく必要なときにいつでも反射波を返信することができ、呼出波に乗せて送信された特定のデータ（異常の履歴等）を記憶手段に記憶しておくこともできる。
【００２４】
一方、裏カバー６０の右側には、遊技盤２３の裏面と直交するように支持板７４ａ，７４ｂが平行に設けられており、それらの支持板７４ａ，７４ｂの間に、賞品球や貸出球を払い出すための遊技球払出装置７３が設置されている。なお、遊技球払出装置７３による賞品球や貸出球の払出動作は、払出基板３９によって制御されるようになっている。そして、裏カバー６０が閉じられた場合には、裏カバー６０の当接板６５の外側の端縁と内側の支持板７４ａとの間にわずかな隙間しか形成されないようになっている。
【００２５】
また、図４の如く、遊技盤の裏面の右側には、アンテナ設置部１９が約５ｍｍ程度の深さの凹状に設けられており、そのアンテナ設置部１９には、ＩＣタグ２６とＲＦ通信を行うアンテナ３２が設置されている。アンテナ３２は、ガラスコンポジット（たとえば、ＣＥＭ３）からなる薄い板状の基板の表面に、送受信回路を渦巻き状に形成したものである。また、送受信回路３５の両端縁には、それぞれ、端子が接続されており、それらの端子が、ケーブル７１に接続されている。
【００２６】
一方、図５は、パチンコ機１の制御機構の概略を示すブロック図であり、主制御基板２５は、電気回路４０により、サブ統合基板３７を介して、副制御基板である払出基板３９、図柄制御基板３４、音基板３５、発光基板３６と接続されている。そして、主制御基板２５からの指令が、サブ統合基板３７を介して、払出基板３９、図柄制御基板３４、音基板３５、発光基板３６へと伝達されるようになっている。
【００２７】
かかるパチンコ機１は、主制御基板２５に記憶されたプログラムにしたがって、主たる遊技動作を実行する。そして、発射ハンドル５９の回転操作によって打ち出された遊技球が普通電動役物５１に入賞すると、主制御基板２５において「抽選」を実行し、「大当たり」を生起させるか否かを決定する。また、「抽選」を実行すると略同時に、図柄表示装置５２の液晶画面に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示するとともに、「大当たり状態」を生起させて、大入賞口５０を所定回数だけ断続的に開放させる。また、「大当たり状態」の生起に伴い、スピーカ５８から所定の効果音を発生させるとともに、サイドランプ５３，５３や電飾ランプ５４，５４等の発光部材を所定の態様で発光させる。さらに、大入賞口５０や各種の入賞装置に遊技球が入賞した場合には、払出基板３９によって制御された遊技球払出装置７３の作動によって、所定数の遊技球を賞品球として供給皿５６に払い出す。なお、遊技球払出装置７３による払出動作、図柄表示装置５２における図柄表示の態様、スピーカ５８における効果音の発生態様、および発光部材の発光態様は、主制御基板２５からの指令に基づいて、サブ統合基板３７で統括して制御される。また、主制御基板２５からサブ統合基板３７への信号伝達は一方通行になっており、サブ統合基板３７から主制御基板２５へは、信号が送信されないようになっている。
【００２８】
２．パチンコ機を用いた不正監視システムの構成
図６は、パチンコ機１，１・・を用いた不正監視システム（以下、監視システムＳという）を示したものであり、図７は、監視システムＳを導入したパチンコホールの外観を示す説明図である。島設備である設置台４１の裏側には、監視制御装置であるＲ／Ｗユニット２１，１・・が、各パチンコ機１，１・・の上方に位置するように設置されている。各Ｒ／Ｗユニット２１，１・・は、ＬＡＮケーブル等を介して、各設置台４１に設置された監視状態報知手段である警報表示器４４、およびパチンコホール全体を管理するホールコンピュータである管理装置４５と接続されている。また、各Ｒ／Ｗユニット２１，１・・は、各パチンコ機１，１・・の遊技盤２３の裏面に設置されたアンテナ３２と接続されている。なお、Ｒ／Ｗユニット２１は、ＣＰＵ、ＲＡＭ、ＲＯＭ、ＥＥＰＲＯＭ、Ｉ／Ｏインタフェイス等を一体にモールディングしたＩＣチップやＩＣタグ２６との間でのＲＦ（Radio Frequency）送受信を行うためのＲＦ回路等を搭載した基板（図示せず）を、分割式のケースで覆ったものである。
【００２９】
３．不正監視システムの動作内容
かかる監視システムＳにおいては、各Ｒ／Ｗユニット２１，１・・が、接続されたパチンコ機１の遊技盤２３の裏面に設置されたアンテナ３２を利用して、所定の周期（たとえば、５０ｍｓの周期）で、パチンコ機１の裏カバー６０に設置されたＩＣタグ２６とのＲＦ送受信を周期的に実行する（すなわち、ケースアンテナ３２から呼出波を送信すると、その呼出波を受信したＩＣタグ２６が、直ちに反射波を返信する）。したがって、裏カバー６０が不正に開放されたり、遊技盤２３が不正に取り外されたりした場合には、ＩＣタグ２６とアンテナ３２との通信が不通となる。そのような場合には、Ｒ／Ｗユニット２１から、接続されたパチンコ機１、警報表示器４４、および管理装置４５へ「異常信号」が送信されることにより、設置台４１のパチンコ機１の上方に設置された呼出ランプ４６が所定の態様で発光するとともに、警報表示器４４の警報ランプが所定の態様で発光し、管理装置４５の表示装置（図示せず）に所定のメッセージが表示される。パチンコホールの店員、管理者は、それらの報知により、裏カバー６０の不正開放や遊技盤２３の不正取り外し等の事態を直ちに検知することができる。
【００３０】
４．パチンコ機および不正監視システムの効果
パチンコ機１は、上記の如く、裏面に保護カバーである裏カバー６０が開閉自在に設けられており、その裏カバー６０によって、電気回路４０および副制御基板である払出基板３９等が覆われているとともに、裏カバー６０にＩＣタグ２６が設置されており、かつ、そのＩＣタグ２６とＲＦ通信可能なアンテナ３２が、閉じた裏カバー６０に設置されたＩＣタグ２６と対峙する部位に設置されている。それゆえ、監視制御装置であるＲ／Ｗユニット２１を利用して、ＩＣタグ２６とアンテナ３２との間でＲＦ通信を周期的に行い、その通信状態の変化を検知することにより、裏カバー６０の不正開放の有無を監視することによって、サブ統合基板３７を含む電気回路４０および副制御基板である払出基板３９等に対する不正行為を非常に効率的に監視することができる。
【００３１】
また、パチンコ機１は、主制御基板２５が電気回路４０および払出基板３９等の副制御基板とともに裏カバー６０で覆われているため、主制御基板２５を電気回路４０や払出基板３９等の副制御基板とともに非常に低コストで効率的に監視することができる。
【００３２】
さらに、パチンコ機１は、各種の遊技部材を設置した遊技盤２３に、閉じた裏カバー６０に設置されたＩＣタグ２６とＲＦ通信可能に対峙するように、アンテナ３２が設置されているため、遊技盤２３を不正に取り外して他のものと取り替える不正行為をも非常に効率的に監視することができる。
【００３３】
加えて、パチンコ機１は、裏カバー６０の外周から所定の距離を隔てた内側に監視部材設置部である台座６６が設けられており、その台座６６にＩＣタグ２６が設置されているため（すなわち、台座６６が当接板６５の分だけ裏カバー６０の周縁から内側に設置されており、その台座６６にＩＣタグ２６が設置されているため）、ＩＣタグ２６に対して不正行為が行われる事態（すなわち、ＩＣタグ２６がすり替えられてしまう等の事態）を防止することができる。
【００３４】
一方、監視システムＳは、監視制御装置であるＲ／Ｗユニット２１を用い、パチンコ機１，１・・に搭載されたＩＣタグ２６とアンテナ３２との間でＲＦ通信を周期的に行って、その通信状態の変化を検知することにより、サブ統合基板３７を覆う裏カバー６０の不正開放の有無を監視するものであるため、電気回路４０、副制御基板や遊技盤２３に対する不正行為を非常に効率的に監視することができる。加えて、監視システムＳは、Ｒ／Ｗユニット２１をパチンコ機１，１・・を設置するための島設備（すなわち、設置台４１）の裏側に設置するものであり、各パチンコ機１，１・・の内部にＲ／Ｗユニット２１を設置するためのスペースを設ける必要がないので、監視システムＳによれば、既存の各パチンコ機１，１・・の改造等をすることなく、非常に容易にかつ安価に不正監視システムを導入することが可能となる。
【００３５】
５．遊技機および不正監視システムの変更例
なお、本発明の遊技機および不正監視システムの構成は、上記実施形態の態様に何ら限定されるものではなく、遊技盤、主制御基板、副制御基板、電気回路、ＩＣタグ、アンテナ、図柄制御基板、中継基板、裏カバー、台座、監視制御装置、警報表示器、管理装置等の形状・構造等の構成を、本発明の趣旨を逸脱しない範囲で、必要に応じて適宜変更することができる。
【００３６】
たとえば、遊技機は、保護カバーにＩＣタグを設置するとともに、遊技盤の裏面にアンテナを設置したものに限定されず、保護カバーにアンテナを設置するとともに、遊技盤の裏面にＩＣタグを設置したものに変更することも可能である。また、遊技盤の裏面にＩＣタグやアンテナを設置したものに限定されず、閉じた保護カバーのＩＣタグやアンテナと対峙するように、機構板にＩＣタグやアンテナを設置したものに変更することも可能である。加えて、遊技機は、上記実施形態の如く、保護カバーが周縁の一部のみを遊技盤（あるいは機構板）の裏面に当接させた状態で中継基板を覆ったものに限定されず、保護カバーが周縁全体を遊技盤（あるいは機構板）の裏面に当接させた状態で電気回路および副制御基板を覆ったものに変更することも可能である。
【００３７】
また、遊技機は、電気回路（主制御基板と副制御基板とを接続した電気回路）および副制御基板のみを保護カバーで覆ったものに限定されず、主制御基板を電気回路および副制御基板とともに保護カバーで覆ったものに変更することも可能である。かかる構成を採用した場合には、主制御装置を電気回路および副制御基板とともに非常に低コストで効率的に監視することが可能となる、というメリットがある。また、電気回路の途中に副制御基板を統括して制御するサブ統合基板を介在させたものに限定されず、主制御基板と副制御基板とを電気配線によって直接的に接続したものでも良い。加えて、遊技機は、入賞を検出するための近接スイッチと主制御基板とを接続した電気回路を保護カバーで覆ったものに変更することも可能であり、かかる構成を採用した場合には、近接スイッチに導線を接続して不正な入賞検出信号を送信するタイプの不正行為を効率的に監視することが可能となる、というメリットがある。
【００３８】
さらに、本発明の遊技機用監視システムは、裏カバーおよび遊技盤の監視のみを行うものに限定されず、機枠、ミドル枠、ガラス扉の不正開放や遊技盤に設置された開閉式の入賞装置の不正開放等の不正行為を、裏カバーや遊技盤に対する不正行為とともに監視するもの等に変更することも可能である。
【００３９】
加えて、本発明の遊技機用監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００４０】
本発明の遊技機用監視システムは、上記の如く優れた効果を奏するものであるから、各種の遊技機用の不正監視システムとして好適に用いることができる。
【図面の簡単な説明】
【００４１】
【図１】パチンコ機の正面図である。
【図２】パチンコ機の背面図である。
【図３】パチンコ機の背面斜視図（ミドル枠を開放し、裏カバーを開放した状態の背面斜視図）である。
【図４】遊技盤の裏面の状態を示す斜視図である（なお、図６においては、中継基板上の制御素子の記載が省略されている）。
【図５】パチンコ機の制御機構の概略を示すブロック図である。
【図６】パチンコ機を用いた監視システムを示す説明図である。
【図７】監視システムを導入したパチンコホールの外観を示す説明図である。
【符号の説明】
【００４２】
１・・パチンコ機（遊技機）、２１・・Ｒ／Ｗユニット（監視制御装置）、２３・・遊技盤、２５・・主制御基板、２６・・ＩＣタグ、３２・・アンテナ、３４・・図柄制御基板、３７・・サブ統合基板、３９・・払出基板（副制御基板）、６０・・裏カバー、６６・・台座（監視部材設置部）。
【図１】
2005348963.tif 000003
【図２】
2005348963.tif 000004
【図３】
2005348963.tif 000005
【図４】
2005348963.tif 000006
【図５】
2005348963.tif 000007
【図６】
2005348963.tif 000008
【図７】
2005348963.tif 000009